(57)【要約】  本発明は、画像光を検出する画像情報検出装置（１００）であって、画像光を検出する受光センサ（１０）を有する検出面（１０Ａ）を備える画像情報検出部材（１１）と、画像情報検出部材（１１）と一端で連結し、検出面（１０Ａ）と反対側となる他面側から突出するように設けられた押圧部材（１２）と、を具備する。
2010044159.tif 000002
【特許請求の範囲】
【請求項１】
画像光を検出する画像情報検出装置であって、
画像光を検出する受光センサを有する検出面を備える画像情報検出部材と、
前記画像情報検出部材と一端で連結し、前記検出面と反対側となる他面側から突出するように設けられた押圧部材と、を具備することを特徴とする画像情報検出装置。
【請求項２】
前記押圧部材の長さを変更可能とすることを特徴とする請求項１に記載の画像情報検出装置。
【請求項３】
前記画像情報検出部材と前記押圧部材との連結部で、前記画像情報検出部材と前記押圧部材とを吊り下げる吊り下げ部材とを具備することを特徴とする請求項１または請求項２に記載の画像検出装置。
【請求項４】
前記吊り下げ部材の途中には、前記画像情報検出部材及び前記押圧部材と釣り合う重量の錘がバランス手段として設けられていることを特徴とする請求項３に記載の画像情報検出装置。
【請求項５】
前記吊り下げ部材の吊り下げ位置を、前記押圧部材上で、前記画像情報検出部材と近接離間するように位置調整可能に設けたことを特徴とする請求項３または請求項４のいずれか１項に記載の画像情報検出装置。
【請求項６】
前記吊り下げ部材は、前記画像情報検出部材の受光センサで検出した画像情報を送信する送信ケーブルであることを特徴とする請求項３から請求項５のいずれか１項に記載の画像情報検出装置。
【発明の詳細な説明】
【技術分野】
【０００１】
本発明は、液晶等の表示装置のキャリブレーション（輝度や色度等の校正）に用いられる画像情報検出装置に関するものである。
【背景技術】
【０００２】
液晶等を使用した平面状の表示装置では、画像情報検出装置によりキャリブレーション（輝度や色度等の校正）が行われている。
例えば、特許文献１に示される表示システムの調整装置では、液晶表示部に対向して設けられた測光部と、該測光部の信号を検出して画質データ（画像情報）を測定する測定手段と、予め定めた理想的な登録画質データを記憶させておく記憶手段と、前記登録画質データと測定された測定画質データを比較して差分データを抽出する比較手段とを有し、該比較手段での算出された差分データに基づき、液晶表示部の画質を調整する。【０００３】
この特許文献１では、測光部に設けられた受光センサによって液晶表示部の画像情報を得るものであるが、このような画像情報検出装置を使用してキャリブレーションを行う場合には、液晶表示部の表示面の指定位置に当該受光センサを密着、固定する必要がある。これは、画像情報検出部材と表示面との間に隙間ができると、周囲からの光までも感知してしまい、正確な情報を検出できず、結果正確なキャリブレーションを実施することができないからである。【０００４】
具体的には、図１３に示すように、特許文献１のような表示装置のキャリブレーションを行う画像情報検出装置５０では、例えば、液晶表示装置５１の表示面５１Ａから発せられた画像光を受光する受光センサ５２Ａを有する画像情報検出部材５２と、該画像情報検出部材５２で検出された画像情報を送信する送信ケーブル５３と、該送信ケーブル５３の途中に設けられた錘５４と、から構成されるものが使用されている。ここで、送信ケーブル５３の末端は、パソコン等の出力装置（図示せず）に接続されている。また、前記送信ケーブル５３は、液晶表示装置５１の上側から架け渡されている。
そして、このような画像情報検出装置では、画像情報検出部材５２で検出された表示面５１Ａの画像情報が、送信ケーブルを通じて出力装置に送信され、該出力装置にて該画像情報の分析がなされる。
【特許文献１】特開２００５‐２０８５４８号公報
【発明の開示】
【発明が解決しようとする課題】
【０００５】
ところで、上記のような画像情報検出装置５０では、画像情報検出部材５２の受光センサ５２Ａと表示面５１Ａとが密着する部分において、表示面５１Ａの保護と滑り落ちるのを防止するために、スポンジ状の材料を摩擦材として使用し、これによって一点鎖線で示すように位置させることを理想とする。
しかしながら、図１３のように、液晶表示装置５１の表示面５１Ａが垂直（又は前傾）の姿勢を保っていた場合、摩擦材を使用していたとしても、実線で示すように送信ケーブル５３で吊り下げられた画像情報検出部材５２の受光センサ５２Ａは、表示面５１Ａから離れた状態になり、受光センサ５２Ａと表示面５１Ａとの間に隙間５５ができ易くなる。そして、ここで形成された隙間５５から、該受光センサ５２Ａに周囲の光が入り込んでしまうために、正確な情報を検出できないという問題が発生する。
そして、このような状態を改善するために、図１４のように液晶表示装置５１の表示面５１Ａを傾斜させることで、画像情報検出部材５２の受光センサ５２Ａを、液晶表示装置５１の表示面５１Ａに密着させるようにするが、このようにしても密着が十分でない場合には、周囲からの光が入らないように、画像光の検出中は常に手などで押さえておく必要がある。また、画像情報検出部材５２の受光センサ５２Ａの周囲に吸盤を取り付けるなどして、該受光センサ５２Ａが表示面５１Ａから離れる事を防ぐ場合もあるが、表示面５１Ａに跡が残ることや、繰り返し使用することで吸盤の吸着力は落ち、同様に、画像情報検出部材５２の受光センサ５２Ａが表示面５１Ａから離れた状態となって、依然として、正確な画像情報を収集できないという問題があった。【０００６】
本発明は、このような事情を考慮してなされたもので、簡易な構成により、画像情報検出部材の受光センサを表示面に密着する方向に力を働かせて、該受光センサと、表示装置（液晶表示部）の表示面との密着性を高めることができ、これによってキャリブレーションを行う際に、該受光センサが表示面から離れて、周囲からの光の影響で正確な情報を検出ができなくなるという問題を解消し、正確な画像情報の検出を行うことが可能な表示装置の画像情報検出装置の提供を目的とする。
【課題を解決するための手段】
【０００７】
上記目的を達成するために、本発明は、画像光を検出する画像情報検出装置であって、  画像光を検出する受光センサを有する検出面を備える画像情報検出部材と、前記画像情報検出部材と一端で連結し、前記検出面と反対側となる他面側から突出するように設けられた押圧部材と、を具備することを特徴とする。
【図面の簡単な説明】
【０００８】
【図１】本発明の実施形態に係る画像情報検出装置を表示装置に配置した全体を示す側面図である。
【図２】本発明の実施形態に係る画像情報検出装置の受光センサが設けられた部分の詳細を示す側面図である。
【図３】本発明の実施形態に係る画像情報検出装置において画像情報検出部材と押圧部材の成す角度を説明する説明図である。
【図４】本発明の実施形態の第１の変形例の画像情報検出装置において、押圧部材が収納状態である時の側面図である。
【図５】本発明の実施形態の第１の変形例の画像情報検出装置において、押圧部材がスライドして伸張した状態である時の側面図である。
【図６】本発明の実施形態の第２の変形例の画像情報検出装置の第１の状態を示す側面図である。
【図７】本発明の実施形態の第２の変形例の画像情報検出装置の第２の状態を示す側面図である。
【図８】本発明の実施形態の第２の変形例の画像情報検出装置の第３の状態を示す側面図である。
【図９】本発明の実施形態の第２の変形例の画像情報検出装置の第４の状態を示す側面図である。
【図１０】本発明の実施形態の第２の変形例の画像情報検出装置の第５の状態を示す側面図である。
【図１１】本発明の実施形態の第３の変形例に係る画像情報検出装置を表示装置に配置した全体を示す側面図である。
【図１２】本発明の実施形態の第３の変形例に係る画像情報検出装置において、送信ケーブルの位置を調整した状態を示す側面図である。
【図１３】関連する画像情報検出装置を示す側面図である。
【図１４】従来の画像情報検出装置を、傾斜した表示装置の表示面に取り付けた状態を示す側面図である。
【符号の説明】
【０００９】
２Ａ…表示面
１０…受光センサ
１１…画像情報検出部材
１２…押圧部材
１３…送信ケーブル（吊り下げ部材）
１４…錘（バランス手段）
１００…画像情報検出装置
１０１…表示装置
Ｏ…吊り下げ位置
【発明を実施するための最良の形態】
【００１０】
以下、図面を参照し、本発明の実施の形態について説明する。以下に説明する実施の形態は、本発明の実施の形態のうち一例を示すものであり、本発明は、この実施の形態に限定されるものではない。【００１１】
図１に符号１００で示すものは本発明に係わる画像情報検出装置であって、符号１０１で示される表示装置に設けられている。
まず、表示装置１０１は、台座部１と、該台座部１に固定されて前面に表示面２Ａを有する液晶表示部２と、該液晶表示部２に対して画像を表示させる駆動部３とから構成されるものであって、水平面上に台座部１を設置した場合に、液晶表示部２の表示面２Ａは垂直となるように角度が調整されている。また、本実施形態では、表示面２Ａは表面が段差なく平面になっている。【００１２】
画像情報検出装置１００は、図１及び図２に示すように、液晶表示部２の表示面２Ａから発せられた画像光を受光する受光センサ１０を有する検出面１０Ａを備える画像情報検出部材１１と、該画像情報検出部材１１の基端部（図中上端部）に固定されて液晶表示部２の表示面２Ａに対して該受光センサ１０を押し付ける押付力を発生させる押圧部材１２（後述する）と、画像情報検出部材１１及び押圧部材１２を吊り下げるとともに画像情報検出部材１１で検出された画像情報を送信する送信ケーブル１３と、該送信ケーブル１３の途中に設けられて画像情報検出部材１１及び押圧部材１２と釣り合う重量を有する錘１４（バランス手段）と、から構成されている。
そして、このような画像情報検出装置１００では、送信ケーブル１３の途中に、画像情報検出部材１１及び押圧部材１２と釣り合う錘１４が設けられているので、図１に示すように、送信ケーブル１３を表示装置１０１の上側から架け渡して、該表示装置１０１の裏側に該錘１４を位置させることで、画像情報検出部材１１を、液晶表示部２の表示面２Ａの特定高さに静止させることができる。【００１３】
また、送信ケーブル１３の末端は、パソコン等の出力装置（図示せず）に接続される。そして、このような画像情報検出装置１００では、画像情報検出部材１１で検出された表示面２Ａの画像情報が、送信ケーブル１３を通じて出力装置に送信され、該出力装置にて該画像情報の分析がなされる。
なお、本実施形態では、吊り下げ部材となる送信ケーブル１３によって、液晶表示部２及び押圧部材１２を吊り下げるようにしているが、これに限定されず、液晶表示部２及び押圧部材１２をワイヤ等の吊り下げ部材で吊り下げ、送信ケーブル１３とは別体としても良い。【００１４】
受光センサ１０は、検出面１０Ａとなる画像情報検出部材１１の一面１１Ａに面するように設けられている。また、押圧部材１２は、画像情報検出部材１１の基端において、検出面１０Ａとなる一面１１Ａと反対側の他面１１Ｂ側から突出するように設けられており、画像情報検出部材１１とで全体として「く」の字となるように形成されている。また、送信ケーブル１３は、押圧部材１２の画像情報検出部材１１と固定される基端部を吊り下げ位置として接続されている。
そして、このような押圧部材１２によって、送信ケーブル１３による吊り下げ位置を支点Ｏとして、該押圧部材１２の重量により発生する回転モーメントによって、液晶表示部２の表示面２Ａに対して該受光センサ１０を押し付ける矢印Ｍ方向の押付力を発生させる。これによって該受光センサ１０が設けられた検出面１０Ａを、液晶表示部２の表示面２Ａに密着する力を働かせて、該受光センサ１０と、液晶表示部２の表示面２Ａとの密着性を高めることができる。【００１５】
なお、上記画像情報検出装置１００において、押圧部材１２に対する送信ケーブル１３の吊り下げ位置を、支点Ｏとして固定位置としているが、これに限定されずに、図１に矢印ａ−ｂで示すように押圧部材１２上で長さ方向に沿って画像情報検出部材１１と近接離間するように位置調整可能としても良い。これによって、例えば、液晶表示部２の表示面２Ａの淵にベゼルと呼ばれるカバーが存在するなどして、表示面２Ａの表面に部分的に傾斜が生じる箇所があったとしても、送信ケーブル１３の吊り下げ位置（支点Ｏとなる位置）を、押圧部材１２の長さ方向（矢印ａ−ｂ方向）に調整することで、押圧部材１２で発生する回転モーメントを変化させて、液晶表示部２の表示面２Ａに対して該受光センサ１０が設けられた検出面１０Ａがなす角度を調整することができる。これにより部分的に傾斜がある液晶表示部２の表示面２Ａに対する受光センサ１０の密着性をより高めることが可能となる。【００１６】
図３は、画像情報検出装置１００を送信ケーブル１３で吊り下げたときの状態を示した図である。図３に示すように、上記画像情報検出装置１００では、押圧部材１２が接合されていない側の画像情報検出部材１１の端部を符号「Ａ」、送信ケーブル１３の吊り下げ位置となる支点を符号「Ｏ」、吊り下げた送信ケーブル１３の延長線上にある位置を符号「Ｂ」、画像情報検出部材１１が接合されていない側の押圧部材１２の端部を符号「Ｃ」とした場合に、吊り下げた送信ケーブル１３の延長線（支点Ｏの鉛直方向）と受光センサ１０が設けられた検出面１０Ａとが成す角度（∠ＡＯＢ）、及び送信ケーブル１３の延長線（支点Оの鉛直方向）と押圧部材１２が成す角度（∠ＢＯＣ）とが同等、若しくは∠ＡＯＢが∠ＢＯＣより大きくなる構造とし、これによって液晶表示部２の表示面２Ａに対して該受光センサ１０を押し付ける図１に示す矢印Ｍ方向の押付力を発生させている。
しかし、このような構造に限定されず、図４に示すように、押圧部材１２をスライド可能な二部材１５・１６により構成し、図５に示すように、これら二部材１５・１６をスライドさせることにより、その長さを可変（延伸）可能な構造とする。押圧部材１２の長さを伸ばすと、押圧部材１２の重量が同じであっても自身の重心の位置が変化し、液晶表示部２の表示面２Ａに向けて、画像情報検出部材１１を矢印Ｍ方向に回転させる、より大きな回転力を発生させることが可能となる。このため、図４及び図５に示すように、∠ＡＯＢ＞∠ＢＯＣとなって、液晶表示部２の表示面２Ａに対する受光センサ１０の押付力を強くすることができる。すなわち、押圧部材１２の長さを変更可能とすることで、同じ重量の（長さが変更できない）押圧部材と比較して、より大きな押圧力を発生させることができるので、結果として、重心を同じ位置に保ちつつ該押圧部材１２を軽量化することができる。【００１７】
また、上述の押圧部材１２では、画像情報検出部材１１と押圧部材１２とが成す角度（∠ＡＯＣ＝α）を固定としているが、図６から図１０に示すように、回転軸１２Ａによって押圧部材１２を画像情報検出部材１１に対して回転自在に設け、図６から順に図７、図８、図９へと変化するように当該角度（α）を変更可能としても良い。そして、このような角度（α）の調整によって、押圧部材１２の回転モーメントによって生じる、液晶表示部２の表示面２Ａへの受光センサ１０の押付力を最適値として、受光センサ１０が、液晶表示部２の表示面２Ａを不均一に押し付けることを防止する。これによって該表示面２Ａへの極端な負担を軽減することができる。また、画像情報検出部材１１と押圧部材１２とが成す角度（α）が変更可能であるので、図１０に示すように、不使用時はコンパクトに折りたたむこともでき、携帯にも便利になって、より使い易さが増すという効果が得られる。【００１８】
以上詳細に説明したように本実施形態に示した画像情報検出装置１００では、受光センサ１０が設けられた検出面１０Ａに対して反対側となる位置にて、該受光センサ１０から離れる方向に延在する押圧部材１２を設けたので、送信ケーブル１３による吊り下げ位置を支点Ｏとして、該押圧部材１２で発生する回転モーメントによって、液晶表示部２の表示面２Ａに対して該受光センサ１０を押し付ける押付力を発生させることができる。これによって該受光センサ１０を、液晶表示部２の表示面２Ａに密着する方向に力を働かせて、該受光センサ１０と、液晶表示部２の表示面２Ａとの密着性を高めることができ、その結果、キャリブレーションを行う際に、該受光センサ１０が表示面２Ａから離れて、周囲からの光の影響で正確な情報を検出ができないという問題が解消され、正確な画像情報の検出を行うことが可能となる。【００１９】
また、本実施形態の画像情報検出装置１００では、送信ケーブル１３の途中に、画像情報検出部材１１と釣り合う重量の錘１４がバランス手段として設けられているので、該送信ケーブル１３を表示装置１０１の上側から架け渡して、該表示装置１０１の裏側に錘１４を位置させることで、該画像情報検出部材１１を、液晶表示部２の表示面２Ａの特定の高さに静止させることができる。【００２０】
また、本実施形態の画像情報検出装置１００では、画像情報検出部材１１を吊り下げる送信ケーブル１３を、画像情報検出部材１１の受光センサ１０で検出した画像情報を送信する送信ケーブルと同一とすることで、構成を簡素化することができる。【００２１】
ここで、図１１に示すように、液晶表示部２の表示面２Ａの淵にベゼルと呼ばれるカバー２Ｂが存在するなどして、表示面２Ａの一部に凹凸が生じて平面になっていない箇所があると、液晶表示部の表示面２Ａと、受光センサ１０が設けられた検出面１０Ａとが略平行とならなくなってしまう場合がある。しかし、本実施形態の画像情報検出装置１００では、送信ケーブル１３の吊り下げ位置を、押圧部材１２の長さ方向に沿って画像情報検出部材１１と近接離間するように位置調整可能に設けたので、図１２に示すように、送信ケーブル１３の吊り下げ位置を、画像情報検出部材１１から離間するように調整することで、押圧部材１２で発生する回転モーメントを変化させて、重心を同じ位置に保ちつつ、液晶表示部２の表示面２Ａに対して該受光センサ１０が設けられた検出面１０Ａがなす角度を調整することができる。これにより部分的に凹凸がある液晶表示部２の表示面２Ａに対する受光センサ１０の密着性をより高めることができる。【００２２】
また、本実施形態の画像情報検出装置１００では、押圧部材１２の長さを変更可能としたので、該押圧部材１２の長さを伸ばした場合に、該押圧部材１２の回転モーメントによって生じる表示面２Ａに対する受光センサ１０の押付力をより大きいものとすることができる。これによって、押圧部材１２の長さを変更可能とすることで、重心を同じ位置に保ちつつ該押圧部材１２を軽量化することができ、その結果、装置全体の軽量化を図ることが可能となる。【００２３】
また、本実施形態の画像情報検出装置１００では、画像情報検出部材１１と押圧部材１２とが成す角度（α）を適宜変更することで、該押圧部材１２の回転モーメントによって生じる表示面２Ａに対する受光センサ１０の押付力を最適値として、受光センサ１０が、液晶表示部２の表示面２Ａを不均一に押し付けることを防止することができる。これによって該表示面２Ａへの極端な負担を軽減することができる。また、画像情報検出部材１１と押圧部材１２とが成す角度が変更可能であるので、不使用時はコンパクトに折りたたむこともでき、携帯にも便利になって、より使い易さが増すという効果が得られる。【００２４】
なお、上記実施形態では、表示装置１０１として、液晶表示装置を使用したが、これに限定されず、ＰＤＰ（プラズマディスプレイパネル）、有機ＥＬ、電子ペーパー等また、それに代わるものを対象としてもよい。
また、上記画像情報検出装置１００では、画像情報検出部材１１を、バランス手段となる錘１４によって液晶表示部２の表示面２Ａの特定高さに静止させるようにしているが、錘１４を設けることは必須ではなく、例えば、吊り下げ部材である送信ケーブル１３を表示装置１０１の台座部１に引っ掛けることで、画像情報検出部材１１を特定高さに静止かつ保持しても良い。【００２５】
以上、本発明の実施形態について図面を参照して詳述したが、具体的な構成はこの実施形態に限られるものではなく、本発明の要旨を逸脱しない範囲の設計変更等も含まれる。
【図１】
2010044159.tif 000003
【図２】
2010044159.tif 000004
【図３】
2010044159.tif 000005
【図４】
2010044159.tif 000006
【図５】
2010044159.tif 000007
【図６】
2010044159.tif 000008
【図７】
2010044159.tif 000009
【図８】
2010044159.tif 000010
【図９】
2010044159.tif 000011
【図１０】
2010044159.tif 000012
【図１１】
2010044159.tif 000013
【図１２】
2010044159.tif 000014
【図１３】
2010044159.tif 000015
【図１４】
2010044159.tif 000016
【国際調査報告】
2010044159.tif 000017
2010044159.tif 000018
2010044159.tif 000019
2010044159.tif 000020